(57)【要約】【課題】限られた季節にのみ飾る節句人形は一年の大半をコンパクトに収納保存することと飾る時の簡便さ、飾ったときの華やかさや豪華さという相反する要素が求められる。更に近年の住宅事情から洋間にも適する飾り方が求められる。叉、雛人形と五月飾りの両方にも対応させたい。【解決手段】この課題を解決するため人形収納箱と飾り棚を兼用させ、更に段数、幅、高さを変えて飾れたり、収納箱の内部も雛人形ばかりでなく五月飾りも収納できるような自由度の高いものとした。その結果雛人形と五月飾りを一緒に収納してその節句節句に飾ることもできる。  叉、収納状態のまま部屋においても違和感がなく子供が成長して人形を飾らなくなっても家具としても使える。【選択図】図５
2008237848.tif 000002
【特許請求の範囲】
【請求項１】
（１）人形等を保管する観音開きの収納箱の上に更に蓋を被せた外形を持ちこの蓋の左右から拡張板を引き出して第一段目として広くもつかえる
（２）収納箱の上部前方を二段目として使うのだが、この左右にヒンジで止めた拡張板を１８０度開き幅広くも使える
（３）二段目の後方に蓋を一段目として後ろにずらして一段高くするための「仕掛け」を蓋裏の前方に、これと噛み合う支持板を箱の上にもち、これらは収納時重ならずむしろ蓋のがたつきを押さえる
（４）一段目の支持板は３枚で９０度立てたときにコの字または逆コの字になるようヒンジで止め収納時はたたんである
（５）蓋裏の「仕掛け」が横の支持板の前方に作った溝にはまり、前方の支持板をうける構造を持つ
（６）上記支持板は展開時、蓋の拡張板が入る空洞部を避けることができる
（７）三段目は左右に１８０度開く拡張板をもち、収納箱にちょうど仕舞えて、しかも中央部が収納箱の扉につけた支持板を９０度開いた部分に乗る棚板で、支持板が当たるところには浅い溝を持つ
（８）収納箱の内部側面には高さを変えられる棚受けの構造を持ち、これにレール木を乗せ２個程度のトレー形の引き出しを設けた
（９）拡張板の開け閉めでできる窪みを埋めるための補助板と全体を高くするための下駄を付属させた
上記（１，２，３，４，５，６，７，８，９）の構成からなる人形収納箱兼飾り棚。
【発明の詳細な説明】
【技術分野】
【０００１】雛人形、五月人形や兜飾り等の装飾品を良好な状態で保管し且つ簡単な飾り棚とすることができる人形収納箱兼飾り棚に関するものである。
【背景技術】
【０００２】わが国では桃の節句には女児のために雛人形が、端午の節句には男児のために兜飾りや五月人形等が飾られてきた。これらは複数の箱に収納されたり、更に飾り壇が大型であったりして、近年の住宅事情や飾る煩雑さが指摘され，小型のものがいくつも提案されてきた。
（文献番号）
１）  特開２００５−３４９１４９
２）  特開２００５−３２９０３６
３）  特開２００３−１９００００
４）  特開２００３−０２４６５１
５）  特開２００１−０３８０６０  （特番３１８５０２８）
６）  特開２０００−１６７２５８
７）  実開平０７−００９３９７
８）  実開平０６−０６６４７３
９）  実開平０６−０３１７９４
１０）実開平０６−０１５６９７
１１）実開平０５−０３９５９２
１２）実開平０５−００９５９６
１３）実登３１０９５５４
１４）実登３１０５５０４
１５）実登３１０３２９０
１６）実登３１０２０８０
１７）実登３０９７８０６
１８）実登３０９５３８３
１９）実登３０９０１９５
２０）実登３０９００９８
２１）実登３０７５９１０
２２）実登３０６５１６４
２３）実登３０５７６０２
２４）実登３０５７６０１
２５）実登３０５７００３
２６）実登３０５６３１９
２７）実登３０５４０９８
２８）実登３０４９７１３
２９）実登３０１８４３１
３０）実登３０１５０３０
３１）実登３０１３８５０
これらはいずれも低すぎて見栄えがしない。文献番号（１４）には興味を持ったが見た限りの人形店にはなく、やはり後々他の用途に使えないのが難点かと思った。
【発明の開示】
【発明が解決しようとする課題】
【０００３】これら先人の提案は飾る段数、幅、高さ等が固定されいろいろな住宅事情には適応しにくく、特に洋間には適しない。叉、雛人形と五月飾りの両方には対応しないし人形を飾らなくなったら他の用途に使いにくい。
【課題を解決するための手段】
【０００４】本案は人形等をコンパクトに保管できる収納箱を簡単に飾り棚として展開できるようにするとともに、段数、幅、高さを変えて使えるようにする。叉、収納箱の内部もいろいろな大きさのものが入るようにし、雛人形と五月飾りの双方に対応できるようにする。
【発明の効果】
【０００５】一年の大半を保管される人形等を良好な状態で収納し、且つ飾るときの簡便性が図られるものと期待される。叉、飾る段数、幅、高さが変えられるのでいろいろな住宅事情に対応して狭くも広くも和室にも洋室にも違和感なく飾れる。子供が女子と男子なら雛飾りと兜飾り等を一緒に収納して、その節句、節句に飾ることもできるし、五月人形その他の装飾品を飾ってもよい。叉、収納した状態で部屋においてもよく、人形を飾らなくなったら普通の家具としても使える。
【発明を実施するための最良の形態】
【０００６】人形収納箱は桐材を用いて人形等の保存性を良くするとともに軽量化を図る。金属製の部品は最小限にとどめ劣化しにくい物を使う。
【実施例】
【０００７】収納箱の標準寸法はおおむね間口６５センチ、奥行き４０センチ、高さ５５センチ程度とし、側面には手かけを扉にはつまみをつける。拡張板を最大に展開したときの幅は全体で９０センチ程度とする。高さを高くするための下駄は基本形でおおむね１０センチ、補助下駄を加えても２０センチ程度とする。叉拡張板を閉じて使うときにできる段差を埋める補助板は厚紙でもよい。
【図面の簡単な説明】
【０００８】
【図１】人形を収納した状態の箱の正面と側面。観音開きの箱に更に蓋（ａ）を被せてある。両扉の左右の端に三段目の支持板（ｂ）が畳んである。側面には手かけを、扉にはつまみをつける。
【図２】収納箱の内部の様子と付属品。箱の中には通常の可変式棚受けの構造をつけこれにレール木をかけトレー形の引き出し（ｃ）を２段程度乗せる。（Ｄ）は三段目の棚板。（ｄ、ｅ、ｆ、）はそれぞれ各段の補助板。
【図３】蓋（ａ）に設けた拡張板（Ｅ）とその展開する様子。この拡張板（Ｅ）を引き出して使うときに補助板（ｅ）を載せて平らにする。次項の支持板を受ける仕掛け（Ｈ）を蓋の裏につけておく。
【図４】収納箱の上部。拡張板（Ｆ）は収納箱の前方左右にヒンジ（ｉ）で止め上にたたんでおき１８０度開いて二段目として広く使うことができる。このとき片方叉は両方閉じて使う場合に補助板（ｆ）を乗せて平らにする。この後方部分に一段目を支える支持板（Ｊ１，Ｊ２，Ｊ３）を立てたときにコの字、又は逆コの字になるようにヒンジ（ｉ）でとめてたたんで置く。支持板（Ｊ）と蓋の裏の仕掛け（Ｈ）が噛み合う様子。支持板をあえて３枚としたのは遊びの少ない噛み合せを無理なく行うためである。
【図５】三段目の取り付け方と全体の展開図。支持板（ｂ）を９０度開いて棚板（Ｄ）を乗せる。棚板（Ｄ）は左右の拡張板をたたんで収納箱の底部に丁度仕舞え、且つ支持板（ｂ）に中央部が乗る長さとする。展開図は下駄（Ｇ）を履いたところ。
【図６】（Ｇ）は下駄の基本形。（ｇ）は補助下駄。（Ｇ）は基本形（Ｇ）に補助下駄（ｇ）を載せたところ
【符号の説明】
（ａ）蓋
（ｂ）三段目の支持板
（ｃ）引き出し
（Ｄ）三段目の棚板
（Ｅ）一段目の拡張版、
（ｅ）Ｅの補助板
（Ｆ）二段目の拡張板、
（ｆ）Ｆの補助板
（Ｇ）下駄の基本形、
（ｇ）補助下駄
（Ｇ）（Ｇ）に（ｇ）を乗せたところ
（Ｈ）一段目を支える支持板と噛み合う仕掛け
（ｈ）（Ｈ）を受けるＪ１の窪み
（ｉ）ヒンジ
（Ｊ１、Ｊ２，Ｊ３）一段目を支える支持板
【図１】
2008237848.tif 000003
【図２】
2008237848.tif 000004
【図３】
2008237848.tif 000005
【図４】
2008237848.tif 000006
【図５】
2008237848.tif 000007
【図６】
2008237848.tif 000008